(57)【要約】【課題】  傾斜のある軒天井にも使用することができる軒天井換気用縁材を提供すること。【解決手段】  換気孔を有する矩形板状部と、前記矩形板状部と並置されるように延設された矩形の延設板とを備え、前記矩形板状部と前記延設板とは、回動自在に接続されていることを特徴とする軒天井換気用縁材。【選択図】    図５
2006233558.tif 000002
【特許請求の範囲】
【請求項１】
換気孔を有する矩形板状部と、
前記矩形板状部と並置されるように延設された矩形の延設板とを備え、
前記矩形板状部と前記延設板とは、回動自在に接続されていることを特徴とする軒天井換気用縁材。
【請求項２】
前記矩形板状部と前記延設板とは、粘着シールにより回動自在に接続されている請求項１記載の軒天井換気用縁材。
【発明の詳細な説明】
【技術分野】
【０００１】
この発明は、建物の軒天井に使用される軒天井換気用縁材に関し、特に、木造住宅等の木造建物の軒天井に使用される軒天井換気用縁材に関する。
【背景技術】
【０００２】
木造住宅等の建物の屋根裏は、高い湿度と温度とが保たれ易い。長期間にわたって高い湿度と温度とが保たれた場合には、シロアリ等の害虫や、腐朽菌等が繁殖し、木材が食い荒らされたり、腐朽してしまったりするおそれがある。そこで、従来から、木造住宅等の建物の軒天井には、屋根裏の換気を行うために、換気孔が形成された軒天井換気用縁材が取り付けられている。通常、軒天井換気用縁材は、適所に換気孔が形成されていて、天井板の軒先側や壁側の端縁に取り付けられる。
【０００３】
図７は、従来の軒天井換気用縁材の一例を模式的に示す断面図である（特許文献１参照）。
軒天井換気用縁材１４０は、天井板１０１の壁側に取り付けられるものである。
軒天井換気用縁材１４０は、所定形状に成形された金属製の基板１４５を備え、基板１４５には、天井板１０１の端縁に軒天井換気用縁材１４０を取り付けるための溝１４４と、外装板１０７の上端に軒天井換気用縁材１４０を取り付けるための溝１４７とが形成されている。基板１４５の矩形板状部１４５ａは、凹部１４５ｂを有し、凹部１４５ｂの側面となる部分に換気孔１４１が形成されている。換気孔１４１は、矩形板状部１４５ａに複数の切目を入れて押込み加工を施すことにより形成されたものである。
また、換気孔１４１の後背位置には、所定形状に成形された金属製の遮蔽板１４２が取り付けられている。遮蔽板１４２は、矩形板状部１４５ａから所定間隔を空けて対向配置された第１遮蔽部１４２ａと、第１遮蔽部１４２ａから所定間隔を空けて配置された第２遮蔽部１４２ｂとを有している。遮蔽板１４２は、また、打抜き加工により形成された通気孔１４６を有している。さらに、第２遮蔽板１４２ｂは、壁板方向に延設されるとともに、直角に折り曲げられ、壁に沿うように配置され、釘等（図示せず）を用いて固定されている。
図中、二点鎖線により示す矢印Ｅは、通気の流れを示している。また、１４３、１４８は、軒天井換気用縁材１４０が有する通気用の隙間を示している。
【０００４】
【特許文献１】実用新案登録第３０７７４８３号公報
【発明の開示】
【発明が解決しようとする課題】
【０００５】
図７に示した軒天井換気用縁材１４０では、上述のように、第２遮蔽板１４２ｂは、直角に折り曲げられ、壁に取り付けられている。しかしながら、軒天井のなかには、斜めに形成されているものがあり、この場合、軒天井と壁板との角度は、直角とならない。
従って、従来の軒天井換気用縁材１４０では、このような軒天井に対して使用することができないという問題があった。
【０００６】
本発明は、上述した点に鑑みてなされてものであり、その目的は、傾斜のある軒天井にも使用することができる軒天井換気用縁材を提供することにある。
【課題を解決するための手段】
【０００７】
上述した課題を解決するために、本発明は、以下のようなものを提供する。
（１）換気孔を有する矩形板状部と、
上記矩形板状部と並置されるように延設された矩形の延設板とを備え、
上記矩形板状部と上記延設板とは、回動自在に接続されていることを特徴とする軒天井換気用縁材。
【０００８】
上記（１）の発明によれば、上記矩形板状部と上記延設板とは回動自在に接続されているため、上記矩形板状部と上記延設板との角度を任意に設定することができ、軒天井換気用縁材を取り付ける野縁等と該野縁等に隣接する壁板等との角度がどのような角度であっても、問題なく取り付けることができる。
【０００９】
また、延設板の幅（長さ）を長くすることにより、傾斜のある軒天井に起因して壁板と軒天井との間に、充分なスペースがない場合であっても、延設板を壁板に容易に取り付けることができ、本発明の軒天井換気用縁材を取り付けることができる。
【００１０】
（２）  上記（１）に記載の軒天井換気用縁材であって、
上記矩形板状部と上記延設板とは、粘着シールにより回動自在に接続されていることを特徴とする軒天井換気用縁材。
【００１１】
上記（２）の発明によれば、上記矩形板状部と上記延設板とは、粘着シールにより回動自在に接続されているため、軒天井換気用縁材を取り付ける野縁等と該野縁等に隣接する壁板等との角度がどのような角度であっても、問題なく取り付けることができる。
【発明の効果】
【００１２】
本発明の軒天井換気用縁材によれば、上記矩形板状部と上記延設板との角度を任意に設定することができ、軒天井と壁板との角度がどのような角度であっても、問題なく取り付けることができる。
【発明を実施するための最良の形態】
【００１３】
以下、本発明の実施形態について図面を用いて説明する。
勿論、本発明は、以下の実施形態に限定されるものではなく、本発明の構成を充足する範囲内で、適宜設計変更を行うことが可能である。
【００１４】
［第１実施形態］
本発明の軒天井換気用縁材は、軒天井の軒先側に使用することも可能であるが、主に、軒天井の壁側に使用される。従って、以下においては、本発明の軒天井換気用縁材を軒天井の壁側に使用した場合について説明する。
【００１５】
図１は、第１実施形態に係る軒天井換気用縁材を模式的に示す断面図である。図２（ａ）は、図１に示した軒天井換気用縁材の下板を模式的に示す平面図であり、（ｂ）は、そのＣ−Ｃ線断面図である。図３（ａ）は、図１に示した軒天井換気用縁材の上板を模式的に示す平面図であり、（ｂ）は、そのＢ−Ｂ線断面図である。
【００１６】
なお、図２、３において、（ａ）に示す平面図は、（ｂ）に示す断面図の寸法を縮小した図であり、両者の寸法は一致していない。また、以下において、長辺方向長さとは、矩形板状部の長辺方向を基準とした長さをいい、短辺方向長さとは、矩形板状部の短辺方向を基準とした長さをいうこととする。
【００１７】
軒天井換気用縁材１０は、所定形状に成形されたガルタイト鋼板からなる下板１５を備え、下板１５には、天井板８１の端縁に軒天井換気用縁材１０を取り付けるための溝１４が形成されていて、天井板８１と平行な矩形板状部１５ａを有する。矩形板状部１５ａは、凹部１５ｂを有し、凹部１５ｂの側面となる部分に換気孔１１が形成されている。換気孔１１は、矩形板状部１５ａに複数の切目（図示せず）を入れて押込み加工を施すことにより形成されたものである。なお、ガルタイト鋼板は、溶融亜鉛−５％アルミニウム合金めっき鋼板である（ＪＩＳ  Ｇ  ３３１７参照）。
【００１８】
換気孔１１の後背位置には、矩形板状部１５ａから所定間隔を空けて、矩形板状部１５ａを覆うように、上板１２が取り付けられている。上板１２は、下板１５と同様に、所定形状に成形されたガルタイト鋼板からなる。上板１２は、天井板８１と平行な矩形板状部１２ａを有する。矩形板状部１２ａは、凹部１２ｂを有し、凹部１２ｂの側面となる部分に換気孔１６が形成されている。換気孔１６は、矩形板状部１２ａに複数の切目（図示せず）を入れて押込み加工を施すことにより形成されたものである。
【００１９】
矩形板状部１２ａ、１５ａの間には、シート状の耐火性の熱膨張部材１７が設けられている。熱膨張部材１７は、所定の温度（例えば２００℃）以上に加熱されると、厚さ方向に数倍〜数十倍（例えば３０倍）に膨張するものである。熱膨張部材１７としては、特に限定されるものではなく、例えば、ブチルゴム含有黒鉛シート材、リン化合物や熱膨張性黒鉛等を含有する合成樹脂製シート材、バーミュライトとセラミックファイバーとを含むシート材、熱膨張性黒鉛とアルミナ三水和物とを含むシート材等が用いられる。
【００２０】
また、下板１５には、壁方向に延びる縁部１５ｃが形成されており、縁部１５ｃの端部には、粘着シール２２を介してガルタイト鋼板からなる延設板２３が取り付けられている。そして、下板１５と延設板２３とによって、軒天井換気用縁材１０を外装板８７に取り付けるための溝２１が形成される。
【００２１】
図１に示した軒天井換気用縁材１０では、延設板２３と下板１５の縁部１５ｃとの角度は直角であるが、延設板２３は粘着シール２２によって縁部１５ｃに取り付けられているため、縁部１５ｃに対する延設板２３の角度を自由に調整することが可能であり、例えば、勾配のある軒天井に対しても、軒天井換気用縁材２０を取り付けることが可能である。
軒天井換気用縁材１０では、勾配のある軒天井に設置した場合にも、外装板８７に当たらないように、縁部１５ｃの幅を広くとっている。
【００２２】
下板１５は、長辺方向長さ３０３０ｍｍ、短辺方向長さ５５ｍｍの矩形板状部１５ａを有し、縁部１５ｃの短辺方向長さは、２５ｍｍである。矩形板状部１５ａは、矩形板状部１５ａの短辺方向に延びた凹部１５ｂを有する。凹部１５ｂは、長辺方向長さ４ｍｍ、短辺方向長さ２８．５ｍｍ、深さ２．５ｍｍであり、各凹部１５ｂの短辺方向側の両側面には、換気孔１１が形成されている。また、図中ではその全てを示していないが、矩形板状部１５ａには、４０個を１組とした１０組（計４００個）の凹部１５ｂが、矩形板状部１５ａの長辺方向に所定間隔を空けて配列されている。具体的に、各組は３０．８ｍｍずつ空けて矩形板状部１５ａに配列されていて、各組に含まれる凹部１５ｂは、２．８ｍｍずつ空けて配列されている。下板１５の長辺方向長さ１ｍあたりの換気孔１１の面積（換気開口面積）は、１５０．５ｃｍ２／ｍである。
また、矩形板状部１５ａの裏面側には、矩形板状部１５ａの長辺方向に沿って、シート状の耐火性の熱膨張部材１７が設けられている。
【００２３】
上板１２は、長辺方向長さ３０３０ｍｍ、短辺方向長さ４２．５ｍｍの矩形板状部１２ａを有する。矩形板状部１２ａは、矩形板状部１２ａの短辺方向に延びた凹部１２ｂを有する。凹部１２ｂは、長辺方向長さ４ｍｍ、短辺方向長さ２８．５ｍｍ、深さ２．５ｍｍであり、下板１５に形成される凹部１５ｂと同形状を有する。また、各凹部１２ｂの短辺方向側の両側面には、換気孔１６が形成されている。
【００２４】
また、図中ではその全てを示していないが、矩形板状部１２ａには、４０個を１組とした１０組（計４００個）の凹部１２ｂが、矩形板状部１２ａの長辺方向に所定間隔を空けて配列されている。具体的に、凹部１２ｂは、下板１５に設けられた凹部１５ｂと同じ間隔を空けて矩形板状部１２ａに配列されていて、上板１２を下板１５に取り付けた際に凹部１５ｂと対向するようになっている。上板１２の長辺方向長さ１ｍあたりの換気孔１６の面積（換気開口面積）は、１５０．５ｃｍ２／ｍである。
また、延設板２３は、長辺方向長さ３０３０ｍｍ、短辺方向長さ５０ｍｍの矩形状である。
【００２５】
なお、本実施形態において、凹部１２ａ、１５ａは、同一の形状を有しているが、本発明は、この例に限定されるものではない。また、本実施形態において、凹部１２ａ、１５ａは、両者が対向する位置に配列されているが、本発明は、この例に限定されるものではない。さらに、上述した下板１５及び上板１２等の寸法は、単なる一例であり、本発明の軒天井換気用縁材は、上記寸法に限定されるものではない。
【００２６】
［第２実施形態］
次に、本発明の第２実施形態として、本発明の軒天井換気用縁材を傾斜のある軒天井に適用した場合について説明する。
図４は、第２実施形態に係る軒天井換気用縁材を模式的に示す断面図である。
【００２７】
本実施形態では、野縁９２が建物の壁に対して傾斜しており、そのために、延設板２３と下板１５の縁部１５ｃとの角度を直角より小さい角度とする必要がある。しかし、本発明の軒天井換気用縁材１０では、縁部１５ｃは、変形自在な粘着シール２２を介して回動自在に延設板２３に接続されているため、縁部１５ｃと延設板２３との角度を任意に設定することができ、このような野縁９２が建物の壁に対して傾斜しているものに対しても、延設板２３を有する軒天井換気用縁材１０を良好に取り付けることができる。なお、本実施形態では、延設板２３の幅（長さ）を長くしており、このように延設板２３の幅（長さ）を長くすることにより、傾斜のある軒天井により壁板と軒天井との間に、充分なスペースがない状況であっても、延設板２３を壁板に容易に取り付けることができる。
粘着シール２２は、縁部１５ｃと延設板２３とが鋭角を形成している内側部分ではなく、外側部分に貼着されている。
【００２８】
また、軒天井換気用縁材１０は、第１実施形態に係る軒天井換気用縁材１０と同じ下板１５、上板１２及び熱膨張部材１７を備えている。
【００２９】
［第３実施形態］
図５は、第３実施形態に係る軒天井換気用縁材を構成する下板を模式的に示す断面図である。
本実施形態に係る軒天井換気用縁材では、上板１２、下板１５及び延設板２３は全く同じものを使用しているが、粘着シール２２は、縁部１５ｃと延設板２３とが鋭角を形成している内側部分に貼着されている。本実施形態に係る軒天井換気用縁材でも、縁部１５ｃと延設板２３との角度を任意に設定することができ、このような野縁９２が建物の壁に対して傾斜しているものに対しても、延設板２３を有する軒天井換気用縁材１０を良好に取り付けることができる。
【００３０】
図４及び図５に示したように、粘着シール２２は、縁部１５ｃと延設板２３とに対して、内側部分に貼着してもよく、外側部分に貼着してもよく、両側に貼着してもよい。
また、上記実施例では、粘着シール２２によって縁部１５ｃと延設板２３とを回動自在に接続しているが、例えば、蝶番（ヒンジ）のようなヒンジ機構を有する治具を用いて両者を接続してもよく、片面又は両面に接着層が形成された金属フィルムや変形自在な他の材料からなるテープのようなもので延設板２３自体を構成してもよい。
【００３１】
なお、本実施形態に係る軒天井換気用縁材１０は、第１実施形態に係る軒天井換気用縁材１０と同じ下板１５、上板１２及び熱膨張部材１７を備えている。
【００３２】
［第４実施形態］
本発明では、さらに、縁部１５ｃと延設板２３とを、リング状のもので、回動自在に接続してもよい。
図６（ａ）は、第４実施形態に係る軒天井換気用縁材を模式的に示す平面図であり、（ｂ）は、（ａ）に示した軒天井換気用縁材の部分拡大平面図であり、（ｃ）は、（ｂ）に示した軒天井換気用縁材のＡ−Ａ線断面図である。
【００３３】
図６に示すように、縁部１５ｃの延設板寄りの端部付近には、一定間隔で複数の長方形の開口３２が形成されており、延設板２３の縁部寄りの端部付近の対応する部分にも同形状の開口３３が形成されている。そして、隣接する２つの開口３２、３３を挿通する態様でリング３１が設けられ、このリング３１により縁部１５ｃと延設板２３とが回動自在に接続されている。
【００３４】
なお、本実施形態に係る軒天井換気用縁材も、第１実施形態に係る軒天井換気用縁材１０と同じ下板１５、上板１２及び熱膨張部材１７を備えている。
【００３５】
上記実施形態では、上板１２と下板１５と延設板２３とを備え、下板１５と延設板２３とが回転自在に接続された軒天井換気用縁材１０を使用している。本発明では、粘着シール２２等を介して上板１２又は下板１５に接続された延設板２３を備えていることは必須条件であるが、上板１２と下板１５との両方を備えていることは必須の条件ではなく、延設板２３のほかに、上板１２又は下板１５の一方だけからなる軒天井換気用縁材を用いてもよい。
【００３６】
以上、上述した実施形態に係る軒天井換気用縁材によれば、下板の縁部と延設板とが、変形自在な粘着シール等を介して接続されているため、上記矩形板状部と上記延設板との角度を任意に設定することができ、軒天井換気用縁材を取り付ける野縁部分と隣接する壁材等との角度がどのような角度であっても、問題なく取り付けることができる。
【００３７】
また、実施形態に係る軒天井換気用縁材では、矩形板状部、凹部の底面及び凹部の計４枚の部材によって、雨水等の浸入方向が軒天井換気用縁材内で複数回変更されない限り屋根裏の内部に雨水等が浸入することのない通気経路が形成されるため、雨水等の浸入を充分に防止することができる。
【００３８】
また、換気孔が、矩形板状部に複数の切目を入れて押込み加工を施すことにより形成されているため、凹部と換気孔とを同時に形成することが可能で、軒天井換気用縁材の製造の手間を軽減することができ、製造コストを低減することができる。
なお、本発明において、換気孔を形成する方法は、上述した例に限定されるものではなく、例えば、打抜き加工により金属板等に複数の貫通孔を形成し、貫通孔が形成された金属板等に押込み加工を施すことにより、換気孔を形成してもよい。
【００３９】
また、軒天井換気用縁材は、少なくともガルタイト鋼板製の上板、下板からなり、上板、下板の一部は、それぞれ矩形板状部を構成するため、１枚の金属板を成形して２つの矩形板状部を形成する場合と比べると、加工成形を容易に行うことが可能であり、軒天井換気用縁材の製造の手間を軽減することができ、製造コストを低減することができる。
【００４０】
本発明においては、矩形板状部１２ａ、１５ａは、金属板であることが望ましい。優れた耐熱性と機械的強度とを有するからである。そのような金属板としては、特に限定されるものではなく、上述したガルタイト鋼板の他、例えば、ステンレス鋼板、アルミニウム鋼板、塗装溶融５５％アルミニウム−亜鉛合金めっき鋼板等を挙げることができる。また、上述した実施形態では、矩形板状部１２ａ、１５ａが夫々異なる金属板（上板１２、下板１５）の一部により構成される場合について説明したが、本発明は、この例に限定されず、例えば、１枚の金属板を成形することにより、２つの矩形板状部を有する軒天井換気用縁材を製造することとしてもよい。
【００４１】
上述した実施形態に係る軒天井換気用縁材によれば、換気孔が、矩形板状部の短辺方向に延びた細長形状を有し、矩形板状部の長辺方向に所定間隔を空けて配列されているため、各凹部間の矩形板状部や、各凹部の底面等が、軒天井換気用縁材の形状を安定させるための補強材として機能する。従って、軒天井換気用縁材の機械的強度を確保しつつ、大きな換気孔を多数形成することが可能であり、換気開口面積を大きくすることができる。本発明において、矩形板状部に形成される換気孔の数や形状は、特に限定されるものではなく、法令等による制限の範囲内で適宜設計変更が可能である。
【００４２】
上述した実施形態に係る軒天井換気用縁材によれば、矩形板状部の間に、熱膨張部材が設けられているため、隣家の火災等によって熱膨張部材が加熱されると、熱膨張部材が膨張し、換気孔が遮蔽されるため、屋根裏の内部に炎や火の粉が入り込むことを確実に防止することが可能になる。
【図面の簡単な説明】
【００４３】
【図１】第１実施形態に係る軒天井換気用縁材を模式的に示す縦断面図である。
【図２】（ａ）は、図１に示した軒天井換気用縁材の下板を模式的に示す平面図であり、（ｂ）は、そのＣ−Ｃ線断面図である。
【図３】（ａ）は、図１に示した軒天井換気用縁材の上板を模式的に示す平面図であり、（ｂ）は、そのＢ−Ｂ線断面図である。
【図４】第２実施形態に係る軒天井換気用縁材を模式的に示す断面図である。
【図５】第３実施形態に係る軒天井換気用縁材の下板と延設板と粘着シールとを模式的に示す断面図である。
【図６】第４実施形態に係る軒天井換気用縁材の下板と延設板とリングとを模式的に示す断面図である。
【図７】従来の軒天井換気用縁材の一例を模式的に示す断面図である。
【符号の説明】
【００４４】
１０  軒天井換気用縁材
１１  （下板の）換気孔
１２  上板
１２ａ  （上板の）矩形板状部
１２ｂ  （上板の）凹部
２１  溝
１５  下板
１５ａ  （下板の）矩形板状部
１５ｂ  （下板の）凹部
１５ｃ  （下板の）縁部
１６  （上板の）換気孔
１７  熱膨張部材
２２  粘着シール
２３  延設板
８１、９１  天井板
８２、９２  野縁
８７、９７  外装板
【図１】
2006233558.tif 000003
【図２】
2006233558.tif 000004
【図３】
2006233558.tif 000005
【図４】
2006233558.tif 000006
【図５】
2006233558.tif 000007
【図６】
2006233558.tif 000008
【図７】
2006233558.tif 000009